(57)【要約】【課題】  撮影画像の画像情報が撮影画像を撮影した撮像装置が可能な画像情報のどの水準にあるのかを視認させ、撮影画像を容易に選択させることができ、ユーザに対する利便性の向上を図り得る画像処理装置及び画像印刷装置を実現すること。【解決手段】  撮影画像を表示させる表示装置１５と、撮像装置によって撮影された撮影画像と、当該撮影画像に対応して当該撮影画像が撮影された際に設定された画像情報（画像サイズ、圧縮率）と、撮影画像が撮影された撮像装置の機種情報（最大及び最小画像サイズ、圧縮率の種類）と、が記憶されているＲＡＭ１２と、ＲＡＭ１２に記憶されている画像情報と機種情報とを撮影画像と共に対比させて表示装置１５の表示画面に表示させるＣＰＵ１０と、を備えるプリントベンダー１。【選択図】図２
2006211132.tif 000002
【特許請求の範囲】
【請求項１】
撮影画像を表示させる表示手段と、
撮像装置によって撮影された撮影画像と、当該撮影画像に対応して当該撮影画像が撮影された際に設定された画像情報と、前記撮影画像が撮影された撮像装置が有する設定可能な複数の画像情報としての機種情報と、が記憶されている記憶手段と、
前記記憶手段に記憶されている前記画像情報と前記機種情報とを撮影画像と共に対比させて前記表示手段に表示させる制御手段と、
を備える画像処理装置。
【請求項２】
請求項１に記載の画像処理装置において、
前記記憶手段には、前記撮像装置を識別する複数の識別情報と、当該識別情報毎に対応付けられた機種情報とからなる機種管理データ群が予め記憶されており、
前記制御手段は、前記撮影画像及び当該撮影画像が撮影された撮像装置の識別情報が記憶された記録媒体から、当該撮影画像及び当該識別情報を取得して、前記記憶手段に記憶させると共に、前記機種管理データ群を参照して取得した識別情報に該当する機種情報を読み出すこと、
を特徴とする画像処理装置。
【請求項３】
請求項１又は２に記載の画像処理装置において、
前記制御手段は、前記記憶手段から前記機種情報と撮影画像毎の画像情報とを読出し、当該読み出された画像情報及び機種情報を撮影画像毎に対比させて前記表示手段に表示させること、
を特徴とする画像処理装置。
【請求項４】
請求項３に記載の画像処理装置において、
前記表示手段に表示される前記画像情報及び機種情報は、文字又は記号を用いた標識又は二次元画像として対比されて表示されること、
を特徴とする画像処理装置。
【請求項５】
請求項１又は２に記載の画像処理装置において、
前記制御手段は、前記記憶手段から前記機種情報と全ての撮影画像の画像情報とを読出し、当該読み出された機種情報と全ての画像情報とを対比させて前記表示手段に表示させること、
を特徴とする画像処理装置。
【請求項６】
請求項５に記載の画像処理装置において、
前記制御手段は、前記記憶手段に記憶されている全ての撮影画像の画像情報に基づいて、画像情報の種類毎に撮影画像の枚数を計数した画像管理データ群を作成し、前記記憶手段に記憶させ、前記記憶手段に記憶された画像管理データ群に基づいて、画像情報の種類と撮影画像の枚数とを対応付けて前記表示手段に表示させること、
を特徴とする画像処理装置。
【請求項７】
請求項６に記載の画像処理装置において、
前記表示手段に表示される前記画像情報の種類は、文字又は記号を用いた標識又は二次元画像として表示されること、
を特徴とする画像処理装置。
【請求項８】
請求項１から７のいずれか一項に記載の画像処理装置において、
前記画像情報は、前記撮影画像の画像サイズを含み、
前記機種情報は、前記撮像装置において撮影画像として撮影可能な最大画像サイズ及び最小画像サイズを含むこと、
を特徴とする画像処理装置。
【請求項９】
請求項１から８のいずれか一項に記載の画像処理装置において、
前記画像情報は、前記撮影画像の圧縮率を含み、
前記機種情報は、前記撮像装置において撮影画像を圧縮可能な複数の圧縮率の種類を含むこと、
を特徴とする画像処理装置。
【請求項１０】
請求項１から９のいずれか一項に記載の画像処理装置と、
当該画像処理装置の記憶手段に記憶されている前記撮影画像をプリントするプリント手段と、
を備えることを特徴とする画像印刷装置。
【請求項１１】
コンピュータを、
撮影画像を表示させる表示手段と、
撮像装置によって撮影された撮影画像と、当該撮影画像に対応して当該撮影画像が撮影された際に設定された画像情報と、前記撮影画像が撮影された撮像装置が有する設定可能な複数の画像情報として機種情報と、を記憶させる記憶手段と、
前記記憶手段に記憶されている前記画像情報と前記機種情報とを撮影画像と共に対比させて前記表示手段に表示させる制御手段と、
として機能させることを特徴とするプログラム。
【請求項１２】
請求項１１に記載のプログラムにおいて、
前記制御手段を、前記撮影画像及び当該撮影画像が撮影された撮像装置の識別情報が記憶された記録媒体から、当該撮影画像及び当該識別情報を取得して、前記記憶手段に記憶させると共に、前記記憶手段に記憶されている前記撮像装置を識別する複数の識別情報と、当該識別情報毎に対応付けられた機種情報とからなる機種管理データ群を参照して取得した識別情報に該当する機種情報を読み出すよう機能させること、
を特徴とするプログラム。
【請求項１３】
請求項１１又は１２に記載のプログラムにおいて、
前記制御手段を、前記記憶手段から前記機種情報と撮影画像毎の画像情報とを読出し、当該読み出された画像情報及び機種情報を撮影画像毎に対比させて前記表示手段に表示させるよう機能させること、
を特徴とするプログラム。
【請求項１４】
請求項１３に記載のプログラムにおいて、
前記表示手段に表示される前記画像情報及び機種情報を、文字又は記号を用いた標識又は二次元画像として対比されて表示させること、
を特徴とするプログラム。
【請求項１５】
請求項１１又は１２に記載のプログラムにおいて、
前記制御手段を、前記記憶手段から前記機種情報と全ての撮影画像の画像情報とを読出し、当該読み出された機種情報と全ての画像情報とを対比させて前記表示手段に表示させるよう機能させること、
を特徴とするプログラム。
【請求項１６】
請求項１５に記載のプログラムにおいて、
前記制御手段を、前記記憶手段に記憶されている全ての撮影画像の画像情報に基づいて、画像情報の種類毎に撮影画像の枚数を計数した画像管理データ群を作成し、前記記憶手段に記憶させ、前記記憶手段に記憶された画像管理データ群に基づいて、画像情報の種類と撮影画像の枚数とを対応付けて前記表示手段に表示させるよう機能させること、
を特徴とするプログラム。
【請求項１７】
請求項１６に記載のプログラムにおいて、
前記表示手段に表示される前記画像情報の種類を、文字又は記号を用いた標識又は二次元画像として表示させること、
を特徴とするプログラム。
【請求項１８】
請求項１１から１７のいずれか一項に記載のプログラムにおいて、
前記画像情報は、前記撮影画像の画像サイズを含み、
前記機種情報は、前記撮像装置において撮影画像として撮影可能な最大画像サイズ及び最小画像サイズを含むこと、
を特徴とするプログラム。
【請求項１９】
請求項１１から１８のいずれか一項に記載のプログラムにおいて、
前記画像情報は、前記撮影画像の圧縮率を含み、
前記機種情報は、前記撮像装置において撮影画像を圧縮可能な複数の圧縮率の種類を含むこと、
を特徴とするプログラム。
【発明の詳細な説明】
【技術分野】
【０００１】
本発明は、デジタルカメラ、カメラ付き携帯電話等の撮像装置から撮影された撮影画像を表示する画像処理装置、画像印刷装置及びプログラムに関する。
【背景技術】
【０００２】
デジタルカメラやカメラ付き携帯電話等の撮像装置によって撮影された撮影画像が記憶されたメモリーカード等の記憶媒体から、任意の撮影画像を選択して印刷する画像印刷装置が普及している。
【０００３】
撮像装置によって撮影された撮影画像が記憶された記憶媒体から任意の画像を選択して撮影画像を印刷する場合、記憶媒体に記憶されている撮影画像を読み出して表示画面上に撮影画像を表示させ、表示された撮影画像をユーザが視認することにより印刷すべき撮影画像を判断し選択している。
【０００４】
しかし、選択された撮影画像が撮影時において印刷を想定しない撮影画像等の理由で、画像サイズが小さく撮影画像の画像データの圧縮率が高い場合、印刷された撮影画像が荒くなり、ユーザにとって満足が得られるものではない場合がある。
【０００５】
そこで、撮影画像が実際にはどのような大きさで印刷されるかをインデックス画像の画像データの原画像サイズをサンプル画像としてインデックス画像と共にディスプレイ画面上に表示させる技術や（特許文献１参照）、撮影画像を表示させる際に、表示される撮影画像の画像サイズや圧縮率等の撮影時の情報を表示する技術が知られている。
【特許文献１】特開２００４−０１５２３７号公報
【発明の開示】
【発明が解決しようとする課題】
【０００６】
しかしながら、撮影画像の画像サイズや圧縮率が表示されるだけでは、ユーザは、その撮影画像を撮影した撮像装置が撮影画像な画像サイズのうちどの画像サイズを示しているのか、撮像装置において圧縮可能な圧縮率のうちどの圧縮率を示しているのか等を判断することができず、その撮影画像が満足の得られる印刷画像となるか否かを判断することが困難であり、使い勝手のよいものではなかった。
【０００７】
本発明の課題は、撮影画像の画像情報は、撮影画像を撮影した撮像装置が可能な画像情報のどの水準にあるのかを視認させ、撮影画像を容易に選択させることができ、ユーザに対する利便性の向上を図り得る画像処理装置、画像印刷装置及びプログラムを実現することである。
【課題を解決するための手段】
【０００８】
上記課題を解決するため、請求項１に記載の発明は、撮影画像を表示させる表示手段と、撮像装置によって撮影された撮影画像と、当該撮影画像に対応して当該撮影画像が撮影された際に設定された画像情報と、前記撮影画像が撮影された撮像装置が有する設定可能な複数の画像情報として機種情報と、が記憶されている記憶手段と、前記記憶手段に記憶されている前記画像情報と前記機種情報とを撮影画像と共に対比させて前記表示手段に表示させる制御手段と、を備える画像処理装置であること、を特徴としている。
更に、コンピュータに対して、上述した請求項１に記載の発明に示した主要手段を機能させるためのプログラムを提供する（請求項１１に記載の発明）。
【０００９】
請求項２に記載の発明は、請求項１に記載の画像処理装置において、前記記憶手段には、前記撮像装置を識別する複数の識別情報と、当該識別情報毎に対応付けられた機種情報とからなる機種管理データ群が予め記憶されており、前記制御手段は、前記撮影画像及び当該撮影画像が撮影された撮像装置の識別情報が記憶された記録媒体から、当該撮影画像及び当該識別情報を取得して、前記記憶手段に記憶させると共に、前記機種管理データ群を参照して取得した識別情報に該当する機種情報を読み出すことを特徴としている。
更に、コンピュータに対して、上述した請求項２に記載の発明に示した主要手段を機能させるためのプログラムを提供する（請求項１２に記載の発明）。
【００１０】
請求項３に記載の発明は、請求項１又は２に記載の画像処理装置において、前記制御手段は、前記記憶手段から前記機種情報と撮影画像毎の画像情報とを読出し、当該読み出された画像情報及び機種情報を撮影画像毎に対比させて前記表示手段に表示させること、を特徴としている。
更に、コンピュータに対して、上述した請求項３に記載の発明に示した主要手段を機能させるためのプログラムを提供する（請求項１３に記載の発明）。
【００１１】
請求項４に記載の発明は、請求項３に記載の画像処理装置において、前記表示手段に表示される前記画像情報及び機種情報は、文字又は記号を用いた標識又は二次元画像として対比されて表示されること、を特徴としている。
更に、コンピュータに対して、上述した請求項１４に記載の発明に示した主要手段を機能させるためのプログラムを提供する（請求項１４に記載の発明）。
【００１２】
請求項５に記載の発明は、請求項１又は２に記載の画像処理装置において、前記制御手段は、前記記憶手段から前記機種情報と全ての撮影画像の画像情報とを読出し、当該読み出された機種情報と全ての画像情報とを対比させて前記表示手段に表示させること、を特徴としている。
更に、コンピュータに対して、上述した請求項５に記載の発明に示した主要手段を機能させるためのプログラムを提供する（請求項１５に記載の発明）。
【００１３】
請求項６に記載の発明は、請求項５に記載の画像処理装置において、前記制御手段は、前記記憶手段に記憶されている全ての撮影画像の画像情報に基づいて、画像情報の種類毎に撮影画像の枚数を計数した画像管理データ群を作成し、前記記憶手段に記憶させ、前記記憶手段に記憶された画像管理データ群に基づいて、画像情報の種類と撮影画像の枚数とを対応付けて前記表示手段に表示させること、を特徴としている。
更に、コンピュータに対して、上述した請求項６に記載の発明に示した主要手段を機能させるためのプログラムを提供する（請求項１６に記載の発明）。
【００１４】
請求項７に記載の発明は、請求項６に記載の画像処理装置において、前記表示手段に表示される前記画像情報の種類は、文字又は記号を用いた標識又は二次元画像として表示されること、を特徴としている。
更に、コンピュータに対して、上述した請求項７に記載の発明に示した主要手段を機能させるためのプログラムを提供する（請求項１７に記載の発明）。
【００１５】
請求項８に記載の発明は、請求項１から７のいずれか一項に記載の画像処理装置において、前記画像情報は、前記撮影画像の画像サイズを含み、前記機種情報は、前記撮像装置において撮影画像として撮影可能な最大画像サイズ及び最小画像サイズを含むこと、を特徴としている。
更に、コンピュータに対して、上述した請求項８に記載の発明に示した主要手段を機能させるためのプログラムを提供する（請求項１８に記載の発明）。
【００１６】
請求項９に記載の発明は、請求項１から８のいずれか一項に記載の画像処理装置において、前記画像情報は、前記撮影画像の圧縮率を含み、前記機種情報は、前記撮像装置において撮影画像を圧縮可能な複数の圧縮率の種類を含むこと、を特徴としている。
更に、コンピュータに対して、上述した請求項１９に記載の発明に示した主要手段を機能させるためのプログラムを提供する（請求項１９に記載の発明）。
【００１７】
請求項１０に記載の発明は、請求項１から９のいずれか一項に記載の画像処理装置と、当該画像処理装置の記憶手段に記憶されている前記撮影画像をプリントするプリント手段と、を備える画像印刷装置であること、を特徴としている。
【発明の効果】
【００１８】
請求項１、６、１１に記載の発明によれば、撮影画像の画像情報は、撮影画像を撮影した撮像装置が有する設定可能な複数の画像情報のうち、どの水準にあるのかを視認させることができるため、撮影画像を選択する際の目安として活用することができ、ユーザに対する利便性の向上を図ることができる。
【００１９】
請求項２、１２に記載の発明によれば、記録媒体から取得した撮影画像に対応する機種情報が記憶されていなくとも、機種管理データ群を参照して識別情報に該当する機種情報を読出すことができる。
【００２０】
請求項３、１３に記載の発明によれば、撮影画像毎に当該撮影画像が撮影時において撮像装置の機種情報のうち、どのような水準で撮影されたものかを容易に視認させることができるため、ユーザに対する利便性を向上させることができる。
【００２１】
請求項４、１４に記載の発明によれば、目視によって対比結果を容易に認識し得る状態とすることができ、ユーザに対する利便性を向上させることができる。
【００２２】
請求項５、１５に記載の発明によれば、撮影された全撮影画像は、撮像装置の機種情報のうち、どのような水準で撮影されたものかを容易に視認させることができるため、ユーザに対する利便性を向上させることができる
【００２３】
請求項６、１６に記載の発明によれば、機種情報に対してどのような水準の画像情報を有する撮影画像が何枚あるかを認識させることができるため、ユーザに対する利便性を向上させることができる。
【００２４】
請求項７、１７に記載の発明によれば、目視によって対比結果を容易に認識し得る状態とすることができ、ユーザに対する利便性を向上させることができる。
【００２５】
請求項８、１８に記載の発明によれば、撮影画像の画像サイズと、撮像装置が撮影可能な最大画像サイズ及び最小画像サイズとを比較することができるため、撮影画像を選択する際の目安として活用することができ、ユーザに対する利便性を向上させることができる。
【００２６】
請求項９、１９に記載の発明によれば、撮影画像の圧縮率と、撮像装置において撮影画像を圧縮可能な複数の圧縮率の種類とを比較することができるため、撮影画像を選択する際の目安として活用することができ、ユーザに対する利便性を向上させることができる。
【００２７】
請求項１０に記載の発明によれば、請求項１から９のいずれか一項に記載の画像処理装置と同様の効果の得られる画像印刷装置を実現することができる。
【発明を実施するための最良の形態】
【００２８】
以下、図１〜２２を参照しながら、本発明に係る画像処理装置、画像印刷装置、プログラムを説明する。本実施の形態では、画像処理装置及び画像印刷装置として、写真店、コンビニエンスストア、街角等のユーザが利用しやすい場所に設置され、デジタルカメラ、カメラ付き携帯電話、ＰＤＡ（Personal Digital Assistants）等の撮像装置内の記録媒体を介して取得された撮影画像のうち、選択された撮影画像を指定された枚数分、印刷して出力する装置であるプリントベンダーに適用した場合について説明する。
【００２９】
［実施の形態１］
以下、本発明の実施の形態１を詳細に説明する。
まず、構成を説明する。
図１に、本実施の形態１における画像処理装置及び画像印刷装置としてのプリントベンダー１の外観を示す。
図１に示すように、プリントベンダー１には、記録媒体挿入口１３１、表示画面１５１、紙幣投入口１６１、返却レバー１６２、コイン投入口１６３、おつり返却口１６４、レシート出力口１６５、写真受取口１７１等が設けられている。
【００３０】
図２に、本実施の形態１におけるプリントベンダー１の機能的構成を示す。
図２に示すように、プリントベンダー１は、ＣＰＵ（Central Processing Unit）１０、記憶装置１１、ＲＡＭ（Random Access Memory）１２、記録媒体読出装置１３、入力装置１４、表示装置１５、金銭授受装置１６、印刷装置１７、通信部１８等により構成され、各装置及び各部はバス１９により接続されている。
【００３１】
ＣＰＵ１０は、記憶装置１１に記憶されているシステムプログラムを読み出し、ＲＡＭ１２内に形成されたワークエリアに展開し、該システムプログラムに従って各部を制御する。また、ＣＰＵ１０は、記録装置１１に記憶されているプリント販売処理プログラムを始めとする各種処理プログラムを読み出してワークエリアに展開し、各種処理を実行する。
【００３２】
ＣＰＵ１０は、記憶装置１１、ＲＡＭ１２との協働によって、本実施の形態１を実現させるために、記録媒体読出装置１３から読み出された撮影画像と、撮影画像の画像情報及び識別情報をＲＡＭ１２内に記憶させ、記憶装置１１に予め記憶されている機種管理ＤＢ１１１を参照して、識別情報に該当する機種情報を読出し識別情報に対応する撮影画像と関連付けてＲＡＭ１２に記憶させ、ＲＡＭ１２に記憶された画像情報と機種情報とを撮影画像と共に対比させて表示画面１５１に表示させる制御手段である。
【００３３】
記憶装置１１は、プリントベンダー１に対応するシステムプログラム、本発明を実現させるためのプログラムを含むプリント販売処理プログラムを始めとする各種処理プログラム、各種データ等が予め記憶されている。この記録装置１１は、磁気的、光学的記録媒体、若しくは半導体メモリなどＣＰＵ１０で読取り可能な記憶媒体を含んだ構成であり、この記憶媒体はＣＤ−ＲＯＭ（Compact Disc Read Only Memory）、メモリーカード等の可搬型の媒体やハードディスク等の固定的な媒体を含む。また、記憶媒体に格納されるプログラム、データ等の一部若しくは全部をサーバ等の外部機器からＷＡＮ、ＬＡＮ等の通信ネットワークを介して受信する構成にしてもよく、更に、記憶媒体は通信ネットワーク上に構築されたサーバやクライアントの記憶媒体であってもよい。
【００３４】
記憶装置１１は、図２に示すように、機種管理ＤＢ（Data Base）１１１を記憶している。図３に、機種管理ＤＢ１１１の一例を示す。
図３に示すように、機種管理ＤＢ１１１は、撮像装置を特定するための識別情報として、撮像装置の機種名（例えば、Ａ−×××、Ｂ−×××、Ｃ−×××、Ｄ−×××・・・）と、その識別情報により特定される撮像装置のメーカ名（例えば、Ａ社、Ｂ社、Ｃ社、Ｄ社・・・）と、機種名及びメーカ名に対応付けられた機種情報が記憶された機種管理データ群としてのデータベースである。
【００３５】
機種情報は、撮像装置が撮影画像を撮影する際に任意に設定可能な複数の画像情報を有し、例えば、撮像装置が撮影可能な最大画像サイズから最小画像サイズまでの複数の画像サイズの種類、撮像装置が画像データを圧縮可能な圧縮率の種類等が挙げられる。
【００３６】
なお、本実施の形態では、複数の画像サイズの種類として、最大画像サイズ及び最小画像サイズが機種管理ＤＢ１１１に記憶されている例を示すが、撮像装置が撮影可能な全ての画像サイズの種類が記憶されていてもよい。
【００３７】
圧縮率の種類としては、「Ｆｉｎｅ圧縮」、「Ｎｏｍａｌ圧縮」、「Ｂａｓｉｃ圧縮」等の撮像装置によって撮影された撮影画像に対して行われるホワイトバランス補正やノイズ除去等の処理が施された後の非圧縮の撮影画像の画像データを圧縮する圧縮処理の種類を示し、画像データの圧縮率に応じて分類される。
【００３８】
例えば、Ｆｉｎｅ圧縮の場合、非圧縮の画像データに比べ、データ量が３分の１〜４分の１程度となる低圧縮であるため、印刷したとき非圧縮の撮影画像と比べてもほとんど見分けのつかない鮮明で高画質の写真を得ることができる。Ｎｏｍａｌ圧縮の場合、非圧縮の画像データに比べ、データ量が８分の１程度となる圧縮であるため、印刷したとき、拡大しない限りは非圧縮の撮影画像と比べてもほとんど見分けのつかない画質の写真を得ることができる。Ｂａｓｉｃ圧縮の場合、非圧縮の画像データに比べ、データ量が１６分の１程度となる圧縮であるため、印刷したとき、非圧縮の撮影画像と比べなくともノイズが多く見られ撮影画像が不鮮明な低画質の写真となる。
【００３９】
なお、圧縮率の種類としては、Ｆｉｎｅ圧縮、Ｎｏｍａｌ圧縮、Ｂａｓｉｃ圧縮に限らず、圧縮がされていない非圧縮や、ホワイトバランス補正やノイズ除去等の処理が施されていない画像データ（ＲＡＷデータ）を含めてもよく、その他異なる圧縮率であってもよい。
【００４０】
ＲＡＭ１２は、ＣＰＵ１０により実行されるシステムプログラム、各種処理プログラム、各処理において処理中のデータ、処理結果などを一時的に記憶するワークエリアが形成される。また、印刷される撮影画像及び撮影画像の画像情報を一時的に記憶する印刷フォルダ１２１と記録媒体から取得した撮影画像の画像データ、画像情報、機種情報を管理する画像管理テーブル１２２が形成される記憶手段である。
【００４１】
画像情報とは、撮影画像が撮影された際に撮像装置の機種情報に基づいて設定された情報であり、例えば、任意の画像サイズ、画像データの圧縮率等が挙げられる。
【００４２】
記録媒体読出装置１３は、例えばフラッシュメモリカード、スマートメディアカード、フロッピー（登録商標）ディスク、ＣＤ（Compact Disk）等の各種記録媒体に対応した記録媒体挿入口１３１を備え、記録媒体挿入口１３１に装着された記録媒体から撮影画像の画像データ、画像情報、機種情報等の画像ファイルを読み出して取得する。なお、記録媒体としては上述したものに限らず、例えばＳＤ（Secure Digital）カード、ＰＣカード、ＭＯ（Magneto Optic）等、その他の半導体メモリ、磁気的又は光学的記録媒体であってもよい。
【００４３】
入力装置１４は、例えば、表示装置１５と一体的に構成されるタッチパネルにより構成され、表示装置１５の表示画面１５１におけるユーザからのタッチ入力（操作指示入力）を受け付け、その入力信号をＣＰＵ１０に出力する。
【００４４】
表示装置１５は、ＬＣＤ（Liquid Crystal Display）等からなる表示画面１５１により構成され、ＣＰＵ１０から入力される表示信号の指示に従って、表示画面１５１上に、撮影画像及び各種操作画面等の各種情報を表示する表示手段である。
【００４５】
金銭授受装置１６は、紙幣投入口１６１、コイン投入口１６３から投入された紙幣やコインを授受してその投入金額を判定し、ＣＰＵ１０に出力する。また、ＣＰＵ１０から入力されたプリント料金と投入金額に基づいて返金額を算出し、その返金額に相当するつり銭をおつり返却口１６４から返却するとともにレシート出力口１６５から精算金額等が印刷されたレシートを出力する。また、返却レバー１６２が操作された場合、投入された紙幣やコインをおつり返却口１６４から返却する。
【００４６】
印刷装置１７は、単数あるいは複数のプリンタを備え、記録媒体読出装置１３により記録媒体から読み出された画像データに応じて変調した光ビームで感光材料（印画紙、シール）を走査露光して潜像を記録し、露光済みの感光材料に湿式の現像処理や乾燥処理を施して、仕上がりプリントとして写真受取口１７１に出力する。
【００４７】
通信部１８は、モデム（ＭＯＤＥＭ：MOdulater/DEModulater）またはターミナルアダプタ（ＴＡ：Terminal Adapter）、ネットワークカード等によって構成され、ＷＡＮ（Wide Area Network）やＬＡＮ（Local Area Network）等の通信ネットワークを介して外部機器との通信を行うための制御を行う。例えば、通信部１８は、通信ネットワークを介して外部機器から画像ファイルや機種管理ＤＢ１１１を受信しＣＰＵ１０に出力することが可能である。
【００４８】
次に、本実施の形態１の動作を説明する。
図４〜７に、本実施の形態１におけるプリントベンダー１のＣＰＵ１０により実行されるプリント販売処理を示す。当該処理及びその処理において実行される各処理は、ＣＰＵ１０と記憶装置１１に記憶されたプログラム及びデータ、ＲＡＭ１２との協働によるソフトウェア処理により実現するものであり、これらの処理により制御手段が実現される。
【００４９】
なお、図４〜７に示されるプリント販売処理は、プリントベンダー１に電源が供給されている間において、実行されるものである。
【００５０】
まず、記録媒体が記録媒体挿入口１３１に挿入されたか否かが判別される（ステップＳ１）。記録媒体が挿入されていないと判別された場合（ステップＳ１；Ｎｏ）、記録媒体が挿入されるまで待機する。
【００５１】
記録媒体が挿入されたと判別された場合（ステップＳ１；Ｙｅｓ）、画像管理テーブル１２２が初期化され（ステップＳ２）、記録媒体読出装置１３により、記録媒体挿入口１３１に挿入された記録媒体から画像ファイルを読出してＲＡＭ１２内に一時記憶させる（ステップＳ３）。
【００５２】
ＲＡＭ１２内に記憶された画像ファイルから、撮影画像のサムネイル画像が作成される（ステップＳ４）。
【００５３】
また、ＲＡＭ１２内に記憶された画像ファイルから撮影画像の機種情報の識別情報（例えば、機種名）が取得され（ステップＳ５）、記憶装置１１に記憶されている機種管理ＤＢ１１１が参照されて、該当する機種名に対応する最大画像サイズ及び最小画像サイズと圧縮率の種類が取得される（ステップＳ６）。
【００５４】
なお、本実施の形態１では、撮影画像に対する最大画像サイズ及び最小画像サイズと圧縮率の種類を記憶装置１１に記憶されている機種管理ＤＢ１１１を参照することにより取得する方策とするが、画像ファイルには、画像を撮影した撮像装置の識別情報の他に、最大画像サイズ、最小画像サイズ等の複数の画像サイズの種類と圧縮率の種類（即ち、機種情報）が含まれる場合がある。この場合には、機種管理ＤＢ１１１を参照することなく、画像ファイルから最大画像サイズ及び最小画像サイズと圧縮率の種類を直接取得してもよい。
【００５５】
このように、機種管理ＤＢ１１１を参照して識別情報に該当する最大画像サイズ及び最小画像サイズと圧縮率の種類を読出すことにより、撮影画像が撮影された撮像装置の機種情報を設定することができる。
【００５６】
さらに、画像ファイルから、撮影画像自身の画像サイズと圧縮率が取得され（ステップＳ７）、これら取得された撮影画像の最大画像サイズ及び最小画像サイズ、圧縮率の種類、画像サイズ、圧縮率が対応付けられて画像管理テーブル１２２に登録される（ステップＳ８）。
【００５７】
画像管理テーブルへの登録処理後、記録媒体内に未登録の画像ファイルが有るか否かが判別される（ステップＳ９）。未登録の画像ファイルが有ると判別された場合（ステップＳ９；有り）、未登録の画像ファイルが読み出される（ステップＳ３に戻る）。このように、画像ファイルが順次、登録された順番に画像管理テーブル１２２に登録される。
【００５８】
未登録の画像ファイルが無いと判別された場合（ステップＳ９；無し）、作成された各画像ファイルのサムネイル画像と、各サムネイル画像に対応する最大画像サイズ及び最小画像サイズ、圧縮率の種類、画像サイズ、圧縮率が併記されたサムネイル画像一覧画面が表示画面１５１に表示され（ステップＳ１０）、画像管理テーブル１２２に登録された先頭の画像ファイルに対するサムネイル画像（先頭のサムネイル画像）が指定される（ステップＳ１１）。
【００５９】
図８に、先頭のサムネイル画像が指定されたサムネイル画像一覧画面Ｇ０の一例を示す。図８に示すように、サムネイル画像一覧画面Ｇ０は、複数のサムネイル画像Ｇ１、Ｇ２、Ｇ３・・・と各サムネイル画像Ｇ１に対応する最大画像サイズの大きさ寸法Ｓｍａｘ、最小画像サイズの大きさ寸法Ｓｍｉｎ、画像サイズの大きさ寸法Ｓ、圧縮率の種類ＣＴ、圧縮率の種類のうちサムネイル画像に該当する圧縮率Ｃが文字又は記号を用いた標識で表示されている。図８では、圧縮率Ｃは、表示された圧縮率の種類ＣＴのうち該当する圧縮率ＣＴを線で囲むことにより表示されている。
【００６０】
なお、最大画像サイズＳｍａｘ、最小画像サイズＳｍｉｎ、画増サイズＳ、圧縮率の種類ＣＴ、圧縮率の種類のうちサムネイル画像に該当する圧縮率Ｃの表示例は、図８に示す例に限らず、画像サイズＳと最大画像サイズ及び最小画像サイズを対比、圧縮率と圧縮率の種類を対比させて表示されていればよい。
【００６１】
図８に示すように、指定されたサムネイル画像Ｇ１は、指定されたことが視認できるように、サムネイル画像Ｇ１の枠が点滅されたり、他のサムネイル画像よりも輝度が高められたりして表示されている。
【００６２】
また、図８に示すように、サムネイル画像一覧画面Ｇ０は、ユーザに対しての操作指示を促し印刷される撮影画像を選択させる操作エリアＭ０を有する。操作エリアＭ０には、矢印で示されたサムネイル画像を指定する「操作ボタン」Ｍ１ａ、Ｍｂ、指定されたサムネイル画像の印刷イメージの表示指示を行う「印刷イメージボタン」Ｍ２、指定されたサムネイル画像を印刷画像として選択指示する「印刷選択ボタン」Ｍ３、印刷されるサムネイル画像選択の完了を指示する「完了ボタン」Ｍ４を備える。
【００６３】
図８において、サムネイル画像の指定を変更させるよう「操作ボタン」Ｍ１ａ、Ｍ１ｂが操作され、サムネイル画像変更操作指示が有るか否かが判別され（ステップＳ１２）、変更操作指示有りと判別された場合（ステップＳ１２；Ｙｅｓ）、指定されるサムネイル画像が変更される（ステップＳ１３）。例えば、「操作ボタン」Ｍ１ｂが１回押下操作された場合、サムネイル画像Ｇ２が指定される。
【００６４】
サムネイル画像変更操作指示無しと判別された場合（ステップＳ１２；Ｎｏ）、「印刷イメージボタン」Ｍ２が操作されたか否かが判別される（ステップＳ１４）。「印刷イメージボタン」Ｍ２の操作無しと判別された場合（ステップＳ１４；Ｎｏ）、「印刷選択ボタン」Ｍ３が操作されたか否かが判別される（ステップＳ２７に進む）。
【００６５】
「印刷イメージボタン」Ｍ２の操作有りと判別された場合（ステップＳ１４；Ｙｅｓ）、指定されたサムネイル画像に対応する撮影画像の画像データ等が画像管理テーブル１２２からが読み出され（ステップＳ１５）、印刷イメージ画面が表示画面１５１に表示される（ステップＳ１６）。
【００６６】
図９に、印刷イメージ画面Ｇ１０の一例を示す。
図９に示すように、印刷イメージ画面Ｇ１０は、指定されたサムネイル画像に対応する撮影画像が印刷される際の印刷イメージ画像Ｇ１１が表示される。例えば、圧縮率が高い（Ｂａｓｉｃ圧縮）場合や画像サイズが極端に小さい（例えば、２４０×３２０ドット）場合等は、不鮮明な印刷イメージ画像が表示され、圧縮率が低い（Ｆｉｎｅ圧縮）場合や画像サイズが大きい（例えば、２０４８×１５３６ドット）場合等は、鮮明な印刷イメージ画像が表示される。更に、印刷イメージ画面Ｇ１０には、表示されている印刷イメージ画像Ｇ１１における画像データの圧縮率Ｃ及び圧縮率の種類ＣＴが表示される。図９に示す圧縮率Ｃは、表示された圧縮率ＣＴのうち該当する圧縮率の種類を線で囲むことにより表示されている。
【００６７】
従って、印刷イメージ画面Ｇ１０をユーザが視認することで、指定したサムネイル画像（撮影画像）は、印刷に適しているか否かの判断を助長することができるため、ユーザにとって使い勝手のよいものとなる。
【００６８】
また、図９に示すように、印刷イメージ画面Ｇ１０は、表示されている印刷イメージ画像Ｇ１１に対する画像サイズを確認させる操作エリアＭ１０を有する。操作エリアＭ１０には、表示された印刷イメージ画像Ｇ１１の画像サイズを確認するよう指示する「サイズ確認ボタン」Ｍ１１、サムネイル画像一覧画面Ｇ１０に戻るよう指示する「戻るボタン」Ｇ１２を備える。
【００６９】
図９において、「サイズ確認ボタン」Ｍ１１が操作されたか否かが判別される（ステップＳ１７）。「サイズ確認ボタン」Ｍ１１の操作無しと判別された場合（ステップＳ１７；Ｎｏ）、「戻るボタン」Ｍ１２が操作されたか否かが判別される（ステップＳ１８）。「戻るボタン」の操作無しと判別された場合（ステップＳ１８；Ｎｏ）、ステップＳ１７に戻る。
【００７０】
「戻るボタン」Ｍ１２の操作有りと判別された場合（ステップＳ１８；Ｙｅｓ）、サムネイル画像一覧画面Ｇ０が表示画面１５１に復帰表示され（ステップＳ１９）、ステップ１２に戻る。
【００７１】
「サイズ確認ボタン」Ｍ１１の操作有りと判別された場合（ステップＳ１７；Ｙｅｓ）、指定されたサムネイル画像に対応する撮影画像の画像サイズと最大画像サイズ及び最小画像サイズが画像管理テーブル１２２から読み出される（ステップＳ２０）。
【００７２】
読み出された最大画像サイズを表示画面１５１に表示される最大表示領域として設定し、設定された最大表示領域に対して画像サイズの表示領域と最小画像サイズの表示領域が設定される（ステップＳ２１）。
【００７３】
そして、設定された最大表示領域内に、設定された画像サイズと最小画像サイズの夫々の表示領域が表示された画像サイズ確認画面が表示画面１５１に表示される（ステップＳ２２）。
【００７４】
図１０に、画像サイズ確認画面Ｇ２０の一例を示す。
図１０に示すように、画像サイズ確認画面Ｇ２０は、指定されたサムネイル画像に対応する撮影画像の画像サイズと撮影画像を撮影した撮像装置が撮影可能な最大画像サイズ及び最小画像サイズの大きささが二次元画像として対比されて表示されている。
【００７５】
図１０には、設定された最大表示領域が最大画像サイズの二次元画像としての最大サイズイメージ画像Ｇ２２、最大表示領域に対して設定された画像サイズの表示領域が画像サイズイメージ画像Ｇ２１、最大表示領域に対して設定された最小画像サイズの表示領域が最小サイズイメージ画像Ｇ２３として表示されている。
【００７６】
そして、画像サイズイメージ画像Ｇ２１近傍には、画像サイズＳと指定されたサムネイル画像である旨を文字又は記号で表示された指定サイズ標識Ｆが表示され、最大サイズイメージ画像Ｇ２２近傍には、最大画像サイズＳｍａｘと最大画像サイズである旨を文字又は記号で表示された最大サイズ標識Ｆｍａｘが表示され、最小サイズイメージ画像Ｇ２３近傍にいは、最小画像サイズＳｍｉｎと最小画像サイズである旨を文字又は記号で表示された最小サイズ標識Ｆｍｉｎが表示されている。
【００７７】
従って、画像サイズ確認画面Ｇ２０をユーザが視認することで、指定したサムネイル画像（撮影画像）は、撮影時において、撮像装置が撮影可能なサイズの内、どのサイズで撮影されたものであるかを認識させることができ、印刷に適した画像サイズであるか否かの判断を助長することができるため、ユーザにとって使い勝手のよいものとなる。
【００７８】
また、図１０に示すように、画像サイズ確認画面Ｇ２０は、指定されたサムネイル画像とは別のサムネイル画像の画像サイズ画面を表示させる「次画面ボタン」Ｍ２１と、サムネイル画像一覧画面Ｇ１０に戻るよう指示する「戻るボタン」Ｍ２２を有する表示画面選択エリアＭ２０を備える。
【００７９】
図１０において、「次画像ボタン」Ｍ２１が操作されたか否かが判別される（ステップＳ２３）。「次画像ボタン」Ｍ２１の操作有りと判別された場合（ステップＳ２３；Ｙｅｓ）、指定されるサムネイル画像の指定変更処理を行い（ステップＳ２４）、ステップＳ２０に戻る。例えば、図８において画像１のサムネイル画像が指定された状態で画像サイズ確認画面Ｇ２０が表示されている場合において、「次画像ボタン」Ｍ２１が押下操作されると、図８において画像２のサムネイル画像が指定されることとなる。
【００８０】
「次画像ボタン」Ｍ２１の操作無しと判別された場合（ステップＳ２３；Ｎｏ）、「戻るボタン」Ｍ２２が操作されたか否かが判別され（ステップＳ２５）、「戻るボタン」Ｍ２２の操作無しと判別された場合（ステップＳ２５；Ｎｏ）、ステップＳ２３に戻る。
【００８１】
「戻るボタン」Ｍ２２の操作有りと判別された場合（ステップＳ２５；Ｙｅｓ）、サムネイル画像一覧画面Ｇ０が表示画面１５１に復帰表示され（ステップＳ２６）、ステップ１２に戻る。
【００８２】
一方、ステップＳ１４において、「印刷イメージボタン」Ｍ２の操作無しと判別された場合、「印刷選択ボタン」Ｍ３が操作されたか否かが判別され（ステップＳ２７）、「印刷選択ボタン」Ｍ３の操作有りと判別された場合（ステップＳ２７；Ｙｅｓ）、指定されたサムネイル画像に対する撮影画像及び撮影画像の画像情報が印刷フォルダ１２１に一時的に記憶され（ステップＳ２８）、指定されたサムネイル画像（撮影画像）の印刷枚数の設定や印刷種類等の印刷指示情報の設定処理が行われた後、ステップＳ１２に戻る。
【００８３】
「印刷選択ボタン」Ｍ３の操作無しと判別された場合（ステップＳ２７；Ｎｏ）、「完了ボタン」Ｍ４が操作されたか否かが判別され（ステップＳ２９）、「完了ボタン」Ｍ４の操作無しと判別された場合（ステップＳ２９；Ｎｏ）、ステップ１２に戻る。
【００８４】
「完了ボタン」Ｍ４の操作有りと判別された場合（ステップＳ２９；Ｙｅｓ）、印刷フォルダ１２１に記憶された撮像画像及び印刷指示情報に応じて、印刷料金が算出され、当該印刷料金を投入するようガイダンスが行われる。そして、紙幣投入口１６１、コイン投入口１６３を介して印刷料金が入金されると、印刷料金と入金額との差額があれば、その差額が返却額として算出され、返却額に応じた金銭がおつり返却口１６４に排出されるとともにレシートがレシート出力口１６５から出力される精算処理が実行される（ステップＳ３０）。
【００８５】
そして、印刷フォルダ１２１内に記憶された全撮影画像の画像データが印刷データとして読み出され、当該印刷データが印刷枚数や印刷種類等の印刷指示情報とともに印刷装置１７に転送され、印刷処理が実行される（ステップＳ３１）。
【００８６】
印刷フォルダ１２１内に記憶された全撮影画像が印刷装置１７によって仕上がりプリントとして写真受取口１７１に出力された後、記録媒体挿入口１３１に挿入された記録媒体の排出処理が実行され（ステップＳ３２）、ステップ１に戻る。
【００８７】
以上のように、本実施の形態１によれば、撮影時において当該撮影画像の各画像情報は、撮像装置が撮影可能な画像情報のうち、どの水準の画像情報であるのかを視認させることができるため、所望する印刷画像が得られる撮影画像を選択する際の目安として活用することができ、印刷に適しているか否かの判断を助長することができるため、ユーザにとって利便性が向上されたプリントベンダー１を実現することができる。
また、表示画面１５１に表示される画像サイズ及び圧縮率が文字又は記号を用いた標識又は二次元画像として対比されて表示されるため、対比結果を目視によって認識させることができる。
【００８８】
［実施の形態２］
以下、本発明の実施の形態２を詳細に説明する。
まず、構成を説明する。
本実施の形態２における画像処理装置及び画像印刷装置としてのプリントベンダー２の外観は、実施の形態１のプリントベンダー１と略同じ外観であるため、図示及び説明は省略する。
【００８９】
図１１に、本実施の形態２のプリントベンダー２の機能的構成を示す。
図１１に示すように、プリントベンダー２は、ＣＰＵ（Central Processing Unit）２０、記憶装置２１、ＲＡＭ（Random Access Memory）２２、記録媒体読出装置１３、入力装置１４、表示装置１５、金銭授受装置１６、印刷装置１７、通信部１８等により構成され、各装置及び各部はバス１９により接続されている。実施の形態１と同様の部位には、同様の符号を付し、説明は省略する。
【００９０】
ＣＰＵ２０は、記憶装置２１に記憶されているシステムプログラムを読み出し、ＲＡＭ２２内に形成されたワークエリアに展開し、該システムプログラムに従って各部を制御する。また、ＣＰＵ２０は、記録装置２１に記憶されているプリント販売処理プログラムを始めとする各種処理プログラムを読み出してワークエリアに展開し、各種処理を実行する。
【００９１】
ＣＰＵ２０は、記憶装置２１、ＲＡＭ２２との協働によって、本実施の形態２を実現させるために、記録媒体読出装置１３から読み出された全撮影画像と、全撮影画像の画像情報及び識別情報をＲＡＭ２２内に記憶させ、記憶装置２１に予め記憶されている機種管理ＤＢ１１１を参照して、識別情報に該当する機種情報を読出し、識別情報に対応する撮影画像と関連付けてＲＡＭ２２に記憶させると共に、画像情報の種類毎に撮影画像の枚数を計数した画像管理データ群としての画像管理ＤＢ２２１を作成してＲＡＭ２２に記憶させ、画像管理ＤＢ２２１に基づいて、画像情報の種類と撮影画像の枚数とを対応付けて表示画面１５１に表示させる制御手段である。
【００９２】
記憶装置２１は、プリントベンダー２に対応するシステムプログラム、プリント販売処理プログラムを始めとする各種処理プログラム、各種データ等が予め記憶されている。この記録装置２１は、磁気的、光学的記録媒体、若しくは半導体メモリなどＣＰＵ２０で読取り可能な記憶媒体を含んだ構成であり、この記憶媒体はＣＤ−ＲＯＭ（Compact Disc Read Only Memory）、メモリーカード等の可搬型の媒体やハードディスク等の固定的な媒体を含む。また、記憶媒体に格納されるプログラム、データ等の一部若しくは全部をサーバ等の外部機器からＷＡＮ、ＬＡＮ等の通信ネットワークを介して受信する構成にしてもよく、更に、記憶媒体は通信ネットワーク上に構築されたサーバやクライアントの記憶媒体であってもよい。
【００９３】
記憶装置２１は、実施の形態１と同様に、機種管理ＤＢ（Data Base）１１１を記憶しており、機種管理ＤＢ１１１についての図示及び説明は省略する。
【００９４】
画像情報の種類とは、個々の撮影画像が撮影された際に設定された撮像装置の機能であり、例えば、画像サイズの大きさの種類等が挙げられる。
【００９５】
ＲＡＭ２２は、ＣＰＵ２０により実行されるシステムプログラム、各種処理プログラム、各処理において処理中のデータ、処理結果などを一時的に記憶するワークエリアが形成される。また、記録媒体から取得した作成される画像管理ＤＢ２２１と、印刷される撮影画像及び撮影画像の画像情報を一時的に記憶する印刷フォルダ１２１とが形成される。
【００９６】
図１２（ａ）に、ＲＡＭ２２に作成される画像管理ＤＢ２２１の一例を示す。
図１２（ａ）に示すように、画像管理ＤＢ２２１は、複数の画像情報の種類と、各画像情報の種類に対応する撮影画像の枚数と、各画像情報の種類に対応する撮影画像の識別番号が記憶されている。図１２（ａ）には、画像情報として画像サイズの大きさ毎に撮影画像の枚数（登録枚数）及び該当する撮影画像の識別番号（画像Ｎｏ）が対応付けられて記憶された画像管理ＤＢを示す。
【００９７】
次に、本実施の形態２の動作を説明する。
図１３〜１５に、本実施の形態２におけるプリントベンダー２のＣＰＵ２０により実行されるプリント販売処理を示す。当該処理及びその処理において実行される各処理は、ＣＰＵ２０と記憶装置２１に記憶されたプログラム及びデータ、ＲＡＭ２２との協働によるソフトウェア処理により実現するものであり、これらの処理により制御手段が実現される。
【００９８】
なお、図１３〜１５に示されるプリント販売処理は、プリントベンダー２に電源が供給されている間において、実行されるものである。
【００９９】
まず、記録媒体が記録媒体挿入口１３１に挿入されたか否かが判別される（ステップＳ４１）。記録媒体が挿入されていないと判別された場合（ステップＳ４１；Ｎｏ）、記録媒体が挿入されるまで待機する。
【０１００】
記録媒体が挿入されたと判別された場合（ステップＳ４１；Ｙｅｓ）、画像管理ＤＢ２２１が初期化され（ステップＳ４２）、記録媒体読出装置１３により、記録媒体挿入口１３１に挿入された記録媒体から全画像ファイルを読出してＲＡＭ２２内に一時記憶させる（ステップＳ４３）。
【０１０１】
ＲＡＭ２２内に記憶された全画像ファイルから、各撮影画像の機種情報の識別情報（例えば、機種名）が取得され（ステップＳ４４）、記憶装置２１に記憶されている機種管理ＤＢ１１１が参照されて、撮影画像毎に該当する機種名に対応する最大画像サイズ及び最小画像サイズが取得される（ステップＳ４５）。
【０１０２】
なお、本実施の形態２では、撮影画像に対する最大画像サイズ及び最小画像サイズを記憶装置２１に記憶されている機種管理ＤＢ１１１を参照することにより取得する方策とするが、画像ファイルには、機種情報として、画像を撮影した撮像装置の識別情報の他に、最大画像サイズ及び最小画像サイズが含まれる場合がある。この場合には、機種管理ＤＢ１１１を参照することなく、画像ファイルから最大画像サイズ及び最小画像サイズを直接取得してもよい。
【０１０３】
さらに、画像ファイルから、各撮影画像自身の画像サイズが取得され（ステップＳ４６）、これら取得された画像サイズの大きさ毎に撮像装置の枚数の計数処理が実行され（ステップＳ４７）、画像サイズの大きさ毎に対応する撮影画像の枚数からなる画像管理ＤＢが作成され登録される（ステップＳ４８）。
【０１０４】
画像管理ＤＢが作成された後、取得された最大画像サイズを表示画面１５１に表示される最大表示領域として設定し、設定された最大表示領域に対して画像管理ＤＢ２２１に記憶された各画像サイズの表示領域が設定される（ステップＳ４９）。
【０１０５】
そして、設定された表示領域毎に、撮像装置の枚数と画像サイズの大きさ（画像サイズの種類名）が表示画面１５１上に表示されるように表示処理され（ステップＳ５０）、更に、各表示領域は、枚数毎に異なる厚さの影を付けたり表示領域の外枠の色を枚数に応じて濃淡を変化させて表示させる処理され（ステップＳ５１）、予め設定された基準表示領域以下の表示領域を区分する線や基準表示以下の表示領域を表示領域とは異なる色で表示させて印刷不適である旨を表示させる処理が実行された画像サイズ別確認画面Ｇ３０が表示画面１５１に表示される（ステップＳ５２）。
【０１０６】
図１６に、画像サイズ別確認画面Ｇ３０の一例を示す。
図１６に示すように、画像サイズ別確認画面Ｇ３０は、各画像サイズの大きさが、二次元画像として対比されて表示されている。
図１６には、設定された最大表示領域が最大画像サイズの二次元画像としての最大サイズイメージ画像Ｇ３１、最大表示領域に対して設定された各画像サイズの表示領域が画像サイズイメージ画像Ｇ３２ａ、Ｇ３２ｂ、Ｇ３２ｃが表示されている。なお、図１６に示す最小画像サイズに対応する最小画像領域は、画像サイズイメージ画像Ｇ３２ｃと同じ画像サイズである。
【０１０７】
最大サイズイメージ画像Ｇ３１、各画像サイズイメージ画像Ｇ３２ａ、Ｇ３２ｂ、Ｇ３２ｃは、それぞれ対応する撮影画像の枚数に応じた厚さの影Ａが付けられ、また、表示領域の外枠の色を撮影画像の枚数に応じて濃淡が異なる色が付けられている。例えば、枚数が多い程、影Ａの厚さを厚くして表示領域の枠の色を濃くすることにより、視覚的に各画像サイズ別の枚数を認識しやすい画面とすることができる。また、最大サイズイメージ画像Ｇ３１、各画像サイズイメージ画像Ｇ３２ａ、Ｇ３２ｂ、Ｇ３２ｃは、画像サイズ毎の画像サイズの大きさ寸法としての最大画像サイズＳｍａｘ、画像サイズＳａ、Ｓｂ、Ｓｃと、撮影画像の枚数ｎが表示されている。
【０１０８】
更に、予め設定された基準表示領域以下の表示領域を区分する区分枠Ｗと、基準表示領域以下の領域（区分枠Ｗ内）が表示領域とは異なる色で表示されている。例えば、基準表示領域以下の表示領域（区分枠Ｗ内）を赤色で表示し、基準表示領域（区分枠Ｗ外）よりも大きい表示領域を緑色で表示させる。
【０１０９】
基準表示領域としては、低圧縮率（例えばＦｉｎｓ圧縮）であっても、印刷するとノイズやコントラストのムラが出たりして画素の粗さが目立つ不鮮明な印刷画像となるおそれがある画像サイズであり、撮像装置の仕様により個別に設定されていることが好ましい。
【０１１０】
画像サイズ別確認画面Ｇ３０をユーザが視認することで、記録媒体に記憶されていた撮影画像の枚数を画像サイズ別に認識させることができ、印刷に適した画像サイズであるか否かの判断を助長することができるため、ユーザにとって使い勝手のよいものとなる。
【０１１１】
また、図１６に示すように、画像サイズ別確認画面Ｇ３０は、サムネイル表示する画像サイズの種類を各画像サイズ又は全画像サイズのいずれかを選択するように報知する選択指示メッセージＭ３１と、全画像サイズのサムネイル画像を表示させるよう指示する「全サイズサムネイル表示ボタン」Ｍ３２を有する表示されるサムネイル画像を選択させるサムネイル表示選択エリアＭ３０を備える。
【０１１２】
図１６において、いずれかの各画像サイズに対応する表示領域の選択操作がされたか否かが判別される（ステップＳ５３）。表示領域の選択操作有りと判別された場合（ステップＳ５３；Ｙｅｓ）、画像管理ＤＢが参照され、選択された表示領域に対応する画像サイズに該当する画像Ｎｏに基づく撮影画像の画像データが読み出され（ステップＳ５４）、読み出された画像データのサムネイル画像が作成される（ステップＳ５５）。
【０１１３】
表示領域の選択操作無しと判別された場合（ステップＳ５３；Ｎｏ）、「全サイズサムネイル表示ボタン」Ｍ３２が操作されたか否かが判別され（ステップＳ５６）、「全サイズサムネイル表示ボタン」Ｍ３２の操作無しと判別された場合（ステップＳ５６；Ｎｏ）、ステップ５３に戻る。
【０１１４】
「全サイズサムネイル表示ボタン」M３２の操作有りと判別された場合（ステップＳ５６；Ｙｅｓ）、全表示領域の撮影画像の画像データが読み出され（ステップＳ５７）、読み出された画像データのサムネイル画像が作成され（ステップＳ５５）、作成されたサムネイル画像は、表示画面１５１にサムネイル画像一覧画面Ｇ４０として表示される（ステップＳ５８）。
【０１１５】
図１７に、サムネイル画像一覧画面Ｇ４０の一例を示す。
図１７に示すサムネイル画像一覧画面Ｇ４０は、画像サイズ別確認画面Ｇ３０において、１６００×１２００の画像サイズの表示領域が操作された際に表示されるサムネイル画像一覧画面である。図１７には、１２枚の読み出された画像データに基づいたサムネイル画像Ｇ４１ａ、Ｇ４１ｂ、Ｇ４１ｃ・・・が表示されており、また、表示されているサムネイル画像の画像サイズを示すメッセージＧ４２が表示されている。
【０１１６】
また、図１７に示すように、サムネイル画像一覧画面Ｇ４０は、印刷される画像を選択するように報知する印刷選択指示メッセージＭ４１、印刷選択を終了させるよう指示する「完了ボタン」Ｍ４２、画像サイズ別確認画面Ｇ３０に戻るよう指示する「戻るボタン」Ｍ４３を有する印刷画像選択エリアＭ４０を備える。
【０１１７】
図１７において、表示されているサムネイル画像の選択操作がされたか否かが判別され（ステップＳ５９）、サムネイル画像選択操作有りと判別された場合（ステップＳ５９；Ｙｅｓ）、選択されたサムネイル画像に対する撮影画像及び撮影画像の画像情報が印刷フォルダ１２１に一時的に記憶され（ステップＳ６０）、選択されたサムネイル画像（撮影画像）の印刷枚数の設定や印刷種類等の印刷指示情報の設定処理が行われた後、ステップ６０に戻る。
【０１１８】
サムネイル画像の選択操作無しと判別された場合（ステップＳ５９；Ｎｏ）、「完了ボタン」Ｍ４２が操作されたか否かが判別さる（ステップＳ６１）。「完了ボタン」Ｍ４２の操作無しと判別された場合（ステップＳ６１；Ｎｏ）、「戻るボタン」Ｍ４３が操作されたか否かが判別され（ステップＳ６２）、「戻るボタン」Ｍ４３の操作無しと判別された場合（ステップＳ６２；Ｎｏ）、ステップ５９に戻る。
【０１１９】
「戻るボタン」Ｍ４３の操作有りと判別された場合（ステップＳ６２；Ｙｅｓ）、画像サイズ別確認画面Ｇ３０を表示画面１５１に復帰表示させ、ステップ５３に戻る。
【０１２０】
「完了ボタン」Ｍ４２の操作有りと判別された場合（ステップＳ６１；Ｙｅｓ）、印刷フォルダ１２１に記憶された撮像画像及び印刷指示情報に応じて、印刷料金が算出され、当該印刷料金を投入するようガイダンスが行われる。そして、紙幣投入口１６１、コイン投入口１６３を介して印刷料金が入金されると、印刷料金と入金額との差額があれば、その差額が返却額として算出され、返却額に応じた金銭がおつり返却口１６４に排出されるとともにレシートがレシート出力口１６５から出力される精算処理が実行される（ステップＳ６３）。
【０１２１】
そして、印刷フォルダ１２１内に記憶された全撮影画像の画像データが印刷データとして読み出され、当該印刷データが印刷枚数や印刷種類等の印刷指示情報とともに印刷装置１７に転送され、印刷処理が実行される（ステップＳ６４）。
【０１２２】
印刷フォルダ１２１内に記憶された全撮影画像が印刷装置１７によって仕上がりプリントとして写真受取口１７１に出力された後、記録媒体挿入口１３１に挿入された記録媒体の排出処理が実行され（ステップＳ６５）、ステップ４１に戻る。
【０１２３】
以上のように、本実施の形態２によれば、撮像装置によって撮影された全撮影画像は、撮像装置が撮影可能な画像情報のうち、どのような水準の画像情報で撮影されたものが何枚あるかを容易に認識させることができ、撮影画像全体の画像情報を容易に把握させることができ、どのような画像情報の撮影画像が印刷に適しているか否かの判断を助長することができるため、ユーザにとって使い勝手のよいものとなる。また、撮影時において、撮影画像は、撮像装置が撮影可能な最大画像サイズ及び最小画像サイズに比べ、どの程度の画像サイズで撮影されたものであるかを認識させることができ、印刷に適した画像サイズであるか否かの判断の目安とさせることができ、表示画面１５１に表示される画像サイズが文字又は記号を用いた標識又は二次元画像として対比されて表示されるため、対比結果を目視によって認識させることができる。
【０１２４】
（第１変形例）
図１２（ｂ）、図１８及び図１９を参照して、実施の形態２の第１変形例を説明する。本変形例は、実施の形態２と装置構成が同様であり、画像情報の種類として画像サイズの大きさの種類に代えて圧縮率の種類とし、圧縮率別の撮影画像の枚数表示処理を実行する構成とし、同様の部分の説明を省略する。本変形例では、ＲＡＭ２２に、圧縮率別の画像管理ＤＢが作成され記憶される。
【０１２５】
圧縮率の種類としては、実施の形態１と同様の種類を挙げることができるため、説明は省略する。
【０１２６】
図１２（ｂ）に、第１変形例におけるＲＡＭ２２に作成された画像管理ＤＢ２２１の一例を示す。
図１２（ｂ）に示すように、画像管理ＤＢ２２１は、複数の画像情報の種類と、各画像情報の種類に対応する撮影画像の枚数と、各画像情報の種類に対応する撮影画像の識別番号が記憶されている。図１２（ｂ）に示す画像管理ＤＢ２２１は、画像情報として圧縮率毎に撮影画像の枚数（登録枚数）及び該当する撮影画像の識別番号（画像Ｎｏ）が対応付けられて記憶された画像管理ＤＢである。
【０１２７】
次に、本変形例におけるプリントベンダー２のＣＰＵ２０により実行されるプリント販売処理の動作を説明する。本変形例においては、画像サイズの種類に代えて圧縮率の種類とするため、図１３から１５に示された実施の形態２の動作と異なる部分のみ説明する。
【０１２８】
本変形例において、実施の形態２のステップＳ４５は、ＲＡＭ２２内に記憶された全画像ファイルから、各撮影画像の機種情報の識別情報（例えば、機種名）が取得された後（ステップＳ４４後）、記憶装置２１に記憶されている機種管理ＤＢ１１１が参照されて、撮影画像毎に該当する機種名に対応する圧縮率の種類が取得される動作となる。
【０１２９】
なお、本変形例では、撮影画像に対する圧縮率の種類を記憶装置２１に記憶されている機種管理ＤＢ１１１を参照することにより取得する方策とするが、画像ファイルには、機種情報として、画像を撮影した撮像装置の識別情報の他に、圧縮率の種類が含まれる場合がある。この場合には、機種管理ＤＢ１１１を参照することなく、画像ファイルから圧縮率の種類を直接取得してもよい。
【０１３０】
さらに、実施の形態２のステップＳ４６〜５２は、画像ファイルから、各撮影画像自身の圧縮率が取得され、これら取得された圧縮率毎に撮像装置の枚数の計数処理が実行され、圧縮率毎に対応する撮影画像の枚数からなる画像管理ＤＢが作成され登録される。そして、画像管理ＤＢが作成された後、撮影画像に対する圧縮率の種類と画像管理ＤＢに登録された圧縮率に応じたサンプル画像を作成し、各サンプル画像近傍に圧縮率の種類と撮影画像の枚数が表示画面１５１上に表示されるように表示処理され、更に、各サンプル画像には、枚数毎に異なる厚さの影を付けたりサンプル画像の外枠の色を枚数に応じて濃淡を変化させて表示させる処理が実行された圧縮率別確認画面Ｇ５０が表示画面１５１に表示される動作となる。
【０１３１】
図１８に、圧縮率別確認画面Ｇ５０の一例を示す。
図１８に示すように、圧縮率別確認画面Ｇ５０は、各圧縮率の種類が、二次元画像として対比されて表示されている。
【０１３２】
図１８には、各圧縮率に応じて作成されたサンプル画像Ｇ５１、Ｇ５２、Ｇ５３が表示されている。サンプル画像Ｇ５１は、Ｆｉｎｅ圧縮（例えば、非圧縮の画像データを３分の１〜４分の１程度のデータ量に圧縮）された撮影画像のうち１枚がノイズ等のない鮮明な画像として表示されており、サンプル画像Ｇ５２は、Ｎｏｍａｌ圧縮（例えば、非圧縮の画像データを８分の１程度のデータ量に圧縮）された撮影画像のうち１枚が表示されており、サンプル画像Ｇ５３は、Ｂａｓｉｃ圧縮（例えば、非圧縮の画像データを１６分の１程度のデータ量に圧縮）された撮影画像のうち１枚がノイズ等の不鮮明な画像として表示され、各サンプル画像Ｇ５１、Ｇ５２、Ｇ５３には、対応する圧縮率の種類ＣＴと撮影画像の枚数ｎが表示されている。（図１８では、機種名に基づいて取得された圧縮率の種類と画像管理ＤＢ２１１に登録された圧縮率の種類が同一である。）
【０１３３】
更に、各サンプル画像Ｇ５１、Ｇ５２、Ｇ５３には、それぞれ対応する撮影画像の枚数に応じた厚さの影Ａが付けられ、サンプル画像の外枠の色が撮影画像の枚数に応じて濃淡が異なる色が付けられている。例えば、枚数が多い程、影Ａの厚さを厚くして表示領域の枠の色を濃くすることにより、視覚的に各画像サイズ別の枚数を認識しやすい画面とすることができる。
【０１３４】
圧縮率別確認画面Ｇ５０をユーザが視認することで、記録媒体に記憶されていた撮影画像の枚数を圧縮率別に認識させることができ、印刷に適した圧縮率、即ち、画質であるか否かの判断を助長することができるため、ユーザにとって使い勝手のよいものとなる。
【０１３５】
また、図１８に示すように、圧縮率別確認画面Ｇ５０は、サムネイル表示する圧縮率の種類を各圧縮率の種類又は全圧縮率の種類のいずれかを選択するように報知する選択指示メッセージＭ５１と、全圧縮率の種類に該当する撮影画像のサムネイル画像を表示させるよう指示する「全サイズサムネイル表示ボタン」Ｍ５２を有する表示されるサムネイル画像を選択させるサムネイル表示選択エリアＭ５０を備える。
【０１３６】
図１８において、実施の形態２のステップＳ５３〜５８は、いずれかの各圧縮率の種類に対応するサンプル画像が選択操作されたか否かが判別され、サンプル画像の選択操作有りと判別された場合、画像管理ＤＢが参照され、選択されたサンプル画像に対応する圧縮率の種類に該当する画像Ｎｏに基づく撮影画像の画像データが読み出され、読み出された画像データのサムネイル画像が作成される。一方、サンプル画像の選択操作無しと判別された場合は、「全サイズサムネイル表示ボタン」Ｍ５２が操作されたか否かが判別され、「全サイズサムネイル表示ボタン」Ｍ５２の操作有りと判別された場合、全サンプル画像の撮影画像の画像データが読み出されて画像データのサムネイル画像が作成され、作成されたサムネイル画像が、表示画面１５１にサムネイル画像一覧画面Ｇ６０として表示される。
【０１３７】
図１９に、サムネイル画像一覧画面Ｇ６０の一例を示す。
図１９に示すサムネイル画像一覧画面Ｇ６０は、圧縮率別確認画面Ｇ５０において、Ｆｉｎｅ圧縮されたサンプル画像が操作された際に表示されるサムネイル画像一覧画面である。図１９には、８枚の読み出された画像データに基づいたサムネイル画像Ｇ６１ａ、Ｇ６１ｂ、Ｇ６１ｃ・・・が表示されており、また、表示されているサムネイル画像の圧縮率の種類を示すメッセージＧ６２が表示されている。
【０１３８】
また、図１９に示すように、サムネイル画像一覧画面Ｇ６０は、図１７に示すサムネイル画像一覧画面Ｇ４０と同様に、印刷選択指示メッセージＭ４１、印刷選択を終了させるよう指示する「完了ボタン」Ｍ４２、圧縮率別確認画面Ｇ５０に戻るよう指示する「戻るボタン」Ｍ６３を有する印刷画像選択エリアＭ６０を備える。
【０１３９】
ステップＳ５８〜６５は、ステップＳ６２において「戻るボタン」Ｍ６３の操作有りと判別された場合、圧縮率別確認画面Ｇ５０を表示画面１５１に復帰表示させること以外は、実施の形態２と同様であるため、説明は省略する。
【０１４０】
以上のように、本第１変形例によれば、撮像装置によって撮影された全撮影画像は、撮像装置が撮影可能な画像情報のうち、どのような水準の画像情報で撮影されたものが何枚あるかを容易に認識させることができ、撮影画像全体の画像情報を容易に把握させることができ、どのような画像情報の撮影画像が印刷に適しているか否かの判断を助長することができるため、ユーザにとって使い勝手のよいものとなる。また、撮影時において、撮影画像は、撮像装置が撮影画像を圧縮可能な複数の圧縮率の種類に比べ、どの程度の圧縮率で撮影されたものであるかを認識させることができ、印刷に適した圧縮率であるか否かの判断の目安とさせることができ、表示画面１５１に表示される圧縮率が文字又は記号を用いた標識又は二次元画像として対比されて表示されるため、対比結果を目視によって認識させることができる。
【０１４１】
（第２変形例）
図２０及び図２１を参照して、実施の形態２の第２変形例を説明する。本変形例は、実施の形態２と第１変形例との組み合わせであり、画像情報の種類として画像サイズの大きさの種類と圧縮率の種類とし、画像サイズの大きさ別及び圧縮率別の撮影画像の枚数表示処理を実行する構成とし、同様の部分の説明を省略する。本変形例では、ＲＡＭ２２に、画像サイズの大きさ別及び圧縮率別の画像管理ＤＢが作成され記憶される。
【０１４２】
本変形例では、ステップＳ５２において表示される表示画面が、実施の形態２の画像サイズ別確認画面Ｇ３０及び第１変形例の圧縮率別確認画面Ｇ５０とを組み合わせて表示される画像サイズ・圧縮率別確認画面Ｇ７０となり、ステップＳ５８において表示される表示画面が、実施の形態２のサムネイル画像一覧画面Ｇ４０及び第１変形例のサムネイル画像一覧画面Ｇ６０とを組み合わせて表示されるサムネイル画像一覧画面Ｇ８０となる。
【０１４３】
図２０に、画像サイズ・圧縮率別確認画面Ｇ７０の一例を示す。
図２０に示すように、画像サイズ・圧縮率別確認画面Ｇ７０は、各画像サイズの種類及び各圧縮率の種類毎に対応して記録媒体から読み出された撮影画像が、二次元画像として対比されて表示されている。
【０１４４】
図２０に示す画像サイズ・圧縮率別確認画面Ｇ７０は、縦の項目に画像サイズの種類、横の項目に圧縮率の種類が表示されており、縦の項目と横の項目とが交わった領域に各画像サイズ及び各圧縮率に応じて作成されたサンプル画像Ｇ７１ａ、Ｇ７１ｂ、Ｇ７１ｃ・・・と該当する撮影画像の枚数ｎが表示されている。
【０１４５】
画像サイズの種類には、取得された最大画像サイズＳｍａｘと最小画像サイズＳｍｉｎと画像管理ＤＢ２１１に登録された画像サイズの種類Ｓが表示されており、圧縮率の種類には、機種名に基づいて取得された圧縮率の種類と画像管理ＤＢ２１１に登録された圧縮率の種類ＣＴが表示されている。（図２０では、圧縮率の種類には、機種名に基づいて取得された圧縮率の種類と画像管理ＤＢ２１１に登録された圧縮率の種類とが同一である。）
【０１４６】
サンプル画像Ｇ７１ａとしては、画像サイズが１６００×１２００かつＦｉｎｅ圧縮された撮影画像のうち１枚が表示されており、それぞれ対応する撮影画像の枚数に応じた厚さの影Ａが付けられ、サンプル画像の外枠の色が撮影画像の枚数に応じて濃淡が異なる色が付けられている。例えば、枚数が多い程、影Ａの厚さを厚くして表示領域の枠の色を濃くすることにより、視覚的に各画像サイズ別の枚数を認識しやすい画面とすることができる。
【０１４７】
画像サイズ・圧縮率別確認画面Ｇ７０をユーザが視認することで、記録媒体に記憶されていた撮影画像の枚数を画像サイズ及び圧縮率別に認識させることができ、印刷に適した画像サイズ及び圧縮率、（即ち、画質）であるか否かの判断を助長することができるため、ユーザにとって使い勝手のよいものとなる。
【０１４８】
また、図２０に示すように、画像サイズ・圧縮率別確認画面Ｇ７０は、サムネイル表示する撮影画像を特定の画像サイズ及び圧縮率に対応した撮影画像又は全ての撮影画像いずれかを選択するように報知する選択指示メッセージＭ７１と、全ての撮影画像のサムネイル画像を表示させるよう指示する「全サムネイル表示ボタン」Ｍ７２を有する表示されるサムネイル画像を選択させるサムネイル表示選択エリアＭ７０を備える。
【０１４９】
図２１に、サムネイル画像一覧画面Ｇ８０の一例を示す。
図２１に示すサムネイル画像一覧画面Ｇ８０は、画像サイズ・圧縮率別確認画面Ｇ７０において、画像サイズが１６００×１２００のＮｏｍａｌ圧縮されたサンプル画像が表示された領域が操作指示された際に表示されるサムネイル画像一覧画面である。図２１には、９枚の読み出された画像データに基づいたサムネイル画像Ｇ８１ａ、Ｇ８１ｂ、Ｇ８１ｃ・・・が表示されており、また、表示されているサムネイル画像の画像サイズ及び圧縮率の種類を示すメッセージＧ８２が表示されている。
【０１５０】
また、図２１に示すように、サムネイル画像一覧画面Ｇ８０は、図１７、図１９に示すサムネイル画像一覧画面Ｇ４０、Ｇ６０と同様に、印刷選択指示メッセージＭ４１、印刷選択を終了させるよう指示する「完了ボタン」Ｍ４２、画像サイズ・圧縮率別確認画面Ｇ７０に戻るよう指示する「戻るボタン」Ｍ８３を有する印刷画像選択エリアＭ８０を備える。
【０１５１】
以上のように、本第２変形例によれば、撮像装置によって撮影された全撮影画像は、撮像装置が撮影可能な画像情報のうち、どのような水準の画像情報で撮影されたものが何枚あるかを容易に認識させることができ、撮影画像全体の画像情報を容易に把握させることができ、どのような画像情報の撮影画像が印刷に適しているか否かの判断を助長することができるため、ユーザにとって使い勝手のよいものとなる。また、撮影時において、撮影画像は、撮像装置が撮影画像を圧縮可能な複数の圧縮率の種類及び撮像装置が撮影可能な最大画像サイズ及び最小画像サイズに比べ、どの程度の圧縮率及び画像サイズで撮影されたものであるかを認識させることができるため、実施の形態２及び第１変形例よりも印刷に適した圧縮率及び圧縮率であるか否かの判断の目安を向上させることができ、実施の形態２及び第１変形例と同様に、表示画面１５１に表示される圧縮率及び画像サイズが文字又は記号を用いた標識又は二次元画像として対比されて表示されるため、対比結果を目視によって認識させることができる。
【０１５２】
図２２に、本発明に適用可能なデジタルカメラ３及びプリンタ４の外観を示す。
本発明は、プリントベンダーに限らず、画像処理装置として、図２２に示すような撮影された撮影画像を表示させる表示手段３ａを有するデジタルカメラ３又はカメラ付き携帯電話等の撮像装置に適用することが可能であり、また、通信ケーブル５等によって当該撮像装置と通信可能に接続され撮像装置から撮影された撮影画像を取得するか、若しくは撮像装置に備えられたメモリーカード等の可搬型の記録媒体から撮影された撮影画像を取得し、取得した撮影画像を表示する表示手段４ａを有し、撮影画像を印刷するプリンタ４等の画像印刷装置に適用することが可能であることは明白であるため、説明は省略する。
【図面の簡単な説明】
【０１５３】
【図１】実施の形態１における画像処理装置及び画像印刷装置としてのプリントベンダー１の外観である。
【図２】実施の形態１におけるプリントベンダー１の機能的構成である。
【図３】機種管理ＤＢ１１１の一例である。
【図４】実施の形態１におけるプリントベンダー１のＣＰＵ１０により実行されるプリント販売処理である。
【図５】実施の形態１におけるプリントベンダー１のＣＰＵ１０により実行されるプリント販売処理である（図４の続き）。
【図６】実施の形態１におけるプリントベンダー１のＣＰＵ１０により実行されるプリント販売処理である（図５の続き）。
【図７】実施の形態１におけるプリントベンダー１のＣＰＵ１０により実行されるプリント販売処理である（図５の続き）。
【図８】サムネイル画像一覧画面Ｇ０の一例である。
【図９】印刷イメージ画面Ｇ１０の一例である。
【図１０】画像サイズ確認画面Ｇ２０の一例である。
【図１１】実施の形態２のプリントベンダー２の機能的構成である。
【図１２】図１２（ａ）は、ＲＡＭ２２に作成される画像管理ＤＢ２２１の一例であり、図１２（ｂ）は、第１変形例におけるＲＡＭ２２に作成された画像管理ＤＢ２２１の一例である。
【図１３】実施の形態２におけるプリントベンダー２のＣＰＵ２０により実行されるプリント販売処理である。
【図１４】実施の形態２におけるプリントベンダー２のＣＰＵ２０により実行されるプリント販売処理である（図１３の続き）。
【図１５】実施の形態２におけるプリントベンダー２のＣＰＵ２０により実行されるプリント販売処理である（図１４の続き）。
【図１６】画像サイズ別確認画面Ｇ３０の一例である。
【図１７】サムネイル画像一覧画面Ｇ４０の一例である。
【図１８】圧縮率別確認画面Ｇ５０の一例である。
【図１９】サムネイル画像一覧画面Ｇ６０の一例である。
【図２０】画像サイズ・圧縮率別確認画面Ｇ７０の一例である。
【図２１】サムネイル画像一覧画面Ｇ８０の一例である。
【図２２】本発明に適用可能なデジタルカメラ３及びプリンタ４の外観である。
【符号の説明】
【０１５４】
１、２  プリントベンダー
３  撮像装置
４  プリンタ
１０、２０  ＣＰＵ
１１、２１  記憶装置
１１１  機種管理ＤＢ
１２、２２  ＲＡＭ
１２１  印刷フォルダ
１２２  画像管理テーブル
２２１  画像管理ＤＢ
１３  記録媒体読出装置
１３１  記録媒体挿入口
１４  入力装置
１５  表示装置
１５１  表示画面
１６  金銭授受装置
１６１  紙幣投入口
１６２  返却レバー
１６３  コイン挿入口
１６４  おつり返却口
１６５  レシート出力口
１７  印刷装置
１７１  写真受取口
１８  通信部
１９  バス
【図１】
2006211132.tif 000003
【図２】
2006211132.tif 000004
【図３】
2006211132.tif 000005
【図４】
2006211132.tif 000006
【図５】
2006211132.tif 000007
【図６】
2006211132.tif 000008
【図７】
2006211132.tif 000009
【図８】
2006211132.tif 000010
【図９】
2006211132.tif 000011
【図１０】
2006211132.tif 000012
【図１１】
2006211132.tif 000013
【図１２】
2006211132.tif 000014
【図１３】
2006211132.tif 000015
【図１４】
2006211132.tif 000016
【図１５】
2006211132.tif 000017
【図１６】
2006211132.tif 000018
【図１７】
2006211132.tif 000019
【図１８】
2006211132.tif 000020
【図１９】
2006211132.tif 000021
【図２０】
2006211132.tif 000022
【図２１】
2006211132.tif 000023
【図２２】
2006211132.tif 000024